(57)【要約】【課題】加熱容器への給水中も高温の湯が取り出せるものにあって、給湯能力の向上を図り、湯切れ状態の機会を少なくできる給湯装置を提供することを目的とする。【解決手段】加熱容器５と、第一の加熱手段６と、水道管２から加熱容器５への給水経路９に設けた給水弁１０と、第一の加熱手段６で加熱した湯を器体外へ吐出する出湯口１６と、加熱容器５と出湯口１６とを連通する出湯経路１７と、出湯口１６に湯を輸送する導出手段１８と、給水を一時的に貯めて徐々に加熱容器５内に水を投入する給水バッファ１２とを備え、給水バッファ１２は、その水受け部１３を加熱容器５の外に配設するとともに、水受け部１３を加熱する第二の加熱手段２８を設けた。これによって、第二の加熱手段２８により、水受け部１３中の水を昇温して、加熱容器５内での加熱時間を短縮することができ、その結果、給湯能力を向上させて湯切れ状態の機会を少なくできる。【選択図】図１
2007303713.tif 000002
【特許請求の範囲】
【請求項１】
水を収容する有底の加熱容器と、前記加熱容器の開口部を覆う蓋体と、前記加熱容器の底部に配され加熱容器内の水を加熱する第一の加熱手段と、水道管から前記加熱容器への給水経路に設けられ、前記加熱容器への給水を制御する給水弁と、前記第一の加熱手段で加熱した湯を器体外へ吐出する出湯口と、前記加熱容器と前記出湯口とを連通する出湯経路と、前記加熱容器内の湯を、前記出湯経路を介して前記出湯口に輸送する導出手段と、給水弁からの給水を一時的に貯めて徐々に前記加熱容器内に水を投入するための給水バッファとを備え、前記給水バッファは、その水受け部を前記加熱容器の外に配設するとともに、前記水受け部内の水を加熱する第二の加熱手段を設けた給湯装置。
【請求項２】
給水バッファの水受け部と加熱容器とを連通する投入経路の途中に開閉弁を配設した請求項１に記載の給湯装置。
【請求項３】
給水バッファの水受け部を、水受け部の材質よりも熱伝導率の低い材質より成る断熱部材で覆った請求項１または２に記載の給湯装置。
【請求項４】
給水バッファの水受け部内の水温を検知するための温度検知手段を配設した請求項１〜３のいずれか１項に記載の給湯装置。
【発明の詳細な説明】
【技術分野】
【０００１】
本発明は、一般家庭の台所や業務用の厨房などで使用される、水道管に接続された給湯装置に関するものである。
【背景技術】
【０００２】
従来、この種の給湯装置は、キッチンユニット内に組み込まれた加熱容器（貯湯槽）内に、水道からの水を供給し、加熱容器の底部に取付けられた加熱手段によって加熱容器内の水を加熱・保温して、必要な時にキッチンユニット上部に設けられた吐出ユニットの操作によって、加熱容器の湯を導出手段（ポンプ）によって汲み上げて使用するものである。そして、加熱容器への給水中も高温の湯が取り出せるよう、給水は加熱容器内に設けられた給水バッファの水受け部に一旦蓄えられ、水受け部底面に接続したパイプ状の投入経路によって加熱容器の底部近傍に給水されるとともに、導出手段の取水口は一度の給水により加熱容器の底部近傍に滞留する水の上限位置より上方に設置されており、温度の上昇していない給水を直接吸い込まないようになっている（例えば、特許文献１参照）。
【特許文献１】特開２００４−１１６８０３号公報
【発明の開示】
【発明が解決しようとする課題】
【０００３】
しかしながら、前記従来の構成では、湯を使用して加熱容器内の湯量が減った分を給水して湯沸しするため、湯沸し能力を超える量の湯を連続して使用した際に湯切れ状態になり、加熱容器内の湯が沸き上がるまで使用できない場合が発生するという問題があった。
【０００４】
本発明は、前記従来の課題を解決するもので、加熱容器への給水中も高温の湯が取り出せるものにあって、給湯能力の向上を図り、湯切れ状態の機会を少なくできる給湯装置を提供することを目的とする。
【課題を解決するための手段】
【０００５】
前記従来の課題を解決するために、本発明の給湯装置は、水を収容する有底の加熱容器と、前記加熱容器の開口部を覆う蓋体と、前記加熱容器の底部に配され加熱容器内の水を加熱する第一の加熱手段と、水道管から前記加熱容器への給水経路に設けられ、前記加熱容器への給水を制御する給水弁と、前記第一の加熱手段で加熱した湯を器体外へ吐出する出湯口と、前記加熱容器と前記出湯口とを連通する出湯経路と、前記加熱容器内の湯を、前記出湯経路を介して前記出湯口に輸送する導出手段と、給水弁からの給水を一時的に貯めて徐々に前記加熱容器内に水を投入するための給水バッファとを備え、前記給水バッファは、その水受け部を前記加熱容器の外に配設するとともに、前記水受け部内の水を加熱する第二の加熱手段を設けたものである。
【０００６】
これによって、給水バッファの水受け部に設けた第二の加熱手段によって、その中に貯めた水を加熱して加熱容器内に投入する水の温度を予め昇温して、加熱容器内での加熱時間を短縮することができ、その結果、給湯能力を向上させて湯切れ状態の機会を少なくできるのである。
【発明の効果】
【０００７】
本発明の給湯装置は、加熱容器への給水中も高温の湯が取り出せるものにあって、給湯能力の向上を図り、湯切れ状態の機会を少なくできる。
【発明を実施するための最良の形態】
【０００８】
第１の発明は、水を収容する有底の加熱容器と、前記加熱容器の開口部を覆う蓋体と、前記加熱容器の底部に配され加熱容器内の水を加熱する第一の加熱手段と、水道管から前記加熱容器への給水経路に設けられ、前記加熱容器への給水を制御する給水弁と、前記第一の加熱手段で加熱した湯を器体外へ吐出する出湯口と、前記加熱容器と前記出湯口とを連通する出湯経路と、前記加熱容器内の湯を、前記出湯経路を介して前記出湯口に輸送する導出手段と、給水弁からの給水を一時的に貯めて徐々に前記加熱容器内に水を投入するための給水バッファとを備え、前記給水バッファは、その水受け部を前記加熱容器の外に配設するとともに、前記水受け部内の水を加熱する第二の加熱手段を設けた給湯装置とすることにより、給水バッファの水受け部に設けた第二の加熱手段によって、その中に貯めた水を加熱して加熱容器内に投入する水の温度を予め昇温して、加熱容器内での加熱時間を短縮することができ、その結果、給湯能力を向上させて湯切れ状態の機会を少なくできるのである。
【０００９】
第２の発明は、特に、第１の発明において、給水バッファの水受け部と加熱容器とを連通する投入経路の途中に開閉弁を配設したことにより、給水バッファから加熱容器への給水が自重落下式の投入方法でも、投入の待機中においても１回の投入量以上の水を予備加熱して貯留しておけるので、予備加熱時間の短縮ができて、加熱容器内での加熱時間を更に短縮することができる。
【００１０】
第３の発明は、特に、第１または第２の発明において、給水バッファの水受け部を、水受け部の材質よりも熱伝導率の低い材質より成る断熱部材で覆ったことにより、投入の待ち時間が長い場合であっても、予備加熱した水の温度低下を低減できるのである。
【００１１】
第４の発明は、特に、第１〜第３のいずれか１つの発明において、給水バッファの水受け部内の水温を検知するための温度検知手段を配設したことにより、湯の使用状態に応じて予備加熱する温度を調節するなどが可能で、給水バッファの水受け部での必要以上の加熱を抑止できる。
【００１２】
以下、本発明の実施の形態について、図面を参照しながら説明する。なお、この実施の形態によって本発明が限定されるものではない。
【００１３】
（実施の形態）
図１は、本発明の実施の形態における給湯装置をキッチンユニットに組込んだ状態を示している。
【００１４】
図に示すように、キッチンユニット１内に配された水道管２は、チーズ３によって分岐されている。給湯装置の加熱ユニット本体４の内部には、水道水を収容して加熱する有底の加熱容器５が配されている。加熱容器５の底部には、収容した水道水を加熱するための第一の加熱手段６、および加熱容器５内の水温を検知するための第一の温度検知手段７が取付けられており、制御回路８によって温度検知手段７からの温度情報を取り込んで加熱手段６をＯＮ−ＯＦＦ制御することによって湯沸しおよび所定の湯温での保温を行なう。
【００１５】
加熱容器５への給水の制御は、水道管２から加熱容器５に至る一連の経路の一つである給水経路９の途中に配された給水弁１０によって行なわれる。給水経路９の、給水弁１０以降の経路の途中には、通過する水の量を計量する流量計１１が配されており、流量計１１を通過した水道水は、加熱容器５の外側面に近接して配設した給水バッファ１２の水受け部１３および投入経路１４を経て加熱容器５に給水される。加熱容器５への給水方法の詳細については後述する。
【００１６】
加熱容器５底部と、キッチンユニット１上面に設置された吐出ユニット１５の出湯口１６とは、出湯経路１７で接続され、出湯経路１７の途中には、加熱容器５内の湯を導出する電動式のポンプよりなる導出手段１８が配されており、その吸込み管１９は、加熱容器５の内面底部において上方に伸長している。吐出ユニット１５には出湯スイッチ２０が配されており、出湯スイッチ２０の押圧操作時により、導出手段１８を運転して吸込み管１９より加熱容器５内の湯を吸い込んで、出湯経路１７に圧送する。その結果、湯は出湯口１６より器体外に導出され、これをシンクにおいて利用できるのである。
【００１７】
加熱容器５内の水位の検知は、その側面に取付けられた水位検知手段２１で行なわれる。水位検知手段２１は導電性材質からなるコモン電極棒２２をはじめとする複数の電極棒を有しており、加熱容器５内の水面の昇降によって、コモン電極棒２２と水を介して電気的な接続の有無、つまりコモン電極棒２２と各電極棒間に流れる電流の変化を制御回路で判断することによって水位を検知する。
【００１８】
給水弁１０の開放により、水道管２内を圧送された水道水は、給水経路９およびその途中に配された流量計１１を通過した後、加熱容器５の外に配された給水バッファ１２の水受け部１３に給水される。この時、流量計１１によって経路を通過する水量が計量され、所定の量の水道水が通過した時点で給水弁１０を閉止すると、水受け部１３には所定量の水道水が溜められる。
【００１９】
水受け部１３の底部には投入経路１４が接続されており、投入経路１４は下方に伸長した後に加熱容器５の側面下部を貫通して、水受け部１３と加熱容器５とを連通している。投入経路１４の内径は、水受け部１３に溜まった水道水が重力によって滴下して加熱容器５内に投入され、投入経路１４の一端に形成された投入口２３により底部に徐々に滞留するように小さめに設定してある。この滞留した水を加熱手段６により、加熱容器５内に既に蓄えられている湯と同等の温度にまで加熱するのである。
【００２０】
導出手段１８の吸込み管１９の上端にある吸込み口２４の位置は、１回の給水で加熱容器５底部に滞留する水の層の上端位置よりも高い位置に配されているので、出湯時に導出手段１８を運転して加熱容器５内の湯を吸込む際に、冷たい水を一緒に吸い込むことがないので、器体外に導出する湯の温度が下がることはないのである。
【００２１】
加熱容器５上面の開口部を覆う蓋体２５には、加熱容器５内部と吐出ユニット１５に設けられた蒸気口２６とを連通する蒸気排出経路２７が取付けられている。
【００２２】
ここで、水受け部１３の側面には、水受け部１３内の水を加熱する第二の加熱手段２３が設けられており、これにより水受け部１３の中に貯めた水を加熱して加熱容器５内に投入する水の温度を予め昇温することで、加熱容器５内での加熱時間を短縮することができ、その結果、給湯能力を向上させて湯切れ状態の機会を少なくできるのである。
【００２３】
また、給水バッファ１２の水受け部１３と加熱容器５とを連通する投入経路１４の途中には、開閉弁２８が配設されており、これにより給水バッファ１２の水受け部１３から加熱容器５への給水が自重落下式の投入方法でも、投入の待機中においても１回の投入量以上の水を予備加熱して貯留しておけるので、予備加熱時間の短縮ができて、加熱容器５内での加熱時間を更に短縮することができる。
【００２４】
また、給水バッファ１２の水受け部１３の外側は、水受け部１３の材質よりも熱伝導率の低い材質より成る断熱部材３０で覆ってあり、これにより加熱容器５への水の投入の待ち時間が長い場合であっても、予備加熱した水の温度低下を低減できるのである。
【００２５】
また、給水バッファ１２の水受け部１３の底部には、水受け部１３内の水温を検知するための第二の温度検知手段３１が配設されており、これにより湯の使用状態に応じて予備加熱する温度を調節するなどが可能で、水受け部１３での必要以上の加熱を抑止できる。
【産業上の利用可能性】
【００２６】
以上のように、本発明にかかる給湯装置は、加熱容器への給水中も高温の湯が取り出せるものにあって、給湯能力の向上を図り、湯切れ状態の機会を少なくできるので、据え置き型の給湯装置、あるいはその他の建造物などに組み込むような給湯装置などにも適用できる。
【図面の簡単な説明】
【００２７】
【図１】本発明の実施の形態における給湯装置の断面図
【符号の説明】
【００２８】
２  水道管
５  加熱容器
６  第一の加熱手段
９  給水経路
１０  給水弁
１２  給水バッファ
１３  水受け部
１４  投入経路
１６  出湯口
１８  導出手段
１９  吸込み管
２３  投入口
２４  吸込み口
２８  第二の加熱手段
２９  開閉弁
３０  断熱部材
３１  第二の温度検知手段
【図１】
2007303713.tif 000003